(57)【要約】【課題】  演奏の進行に伴って歌詞文字を色変わりさせることなく歌唱タイミングを示すとともに、歌詞文字を正確に認識させる。【解決手段】  それぞれ明度の異なる２つの立体ソース画像を設定し、当該２つの立体ソース画像を重ね合わせて視認させることにより、ＤＦＤ錯視現象を用いて立体画像を表示する。楽曲毎に設定された歌詞描出データから歌詞文字画像の表示タイミングデータを取得して、歌詞文字画像の描出を行う歌詞描出制御手段３８ａと、歌詞描出データから歌唱位置データを取得して、歌唱位置を指示するために一の歌詞文字を区分し、歌唱済区分又は未歌唱区分のいずれか一方を、２つの立体ソース画像を用いて立体歌詞画像として表示する表示変換制御手段３８ｂと、を備える。【選択図】  図１
2011053345.tif 000002
【特許請求の範囲】
【請求項１】
カラオケ楽曲の演奏に伴ってディスプレイに表示させる歌詞文字の複数の構成要素毎に、それぞれ明度の異なる２つの立体ソース画像を用意し、当該２つの立体ソース画像を重ね合わせて視認させることにより、ＤＦＤ錯視現象を用いて、歌詞文字を立体歌詞画像として表示可能としたカラオケシステムであって、歌詞描出制御手段と、表示変換制御手段と、を備え、
前記歌詞描出制御手段は、楽曲毎に設定された歌詞描出データから、演奏に同期した歌詞文字画像の表示タイミングデータを取得し、当該取得したデータに基づいて、ディスプレイに表示される歌詞文字画像の描出を行い、
前記表示変換制御手段は、前記歌詞描出データから、演奏に同期した歌唱位置データを取得し、一の歌詞文字において、所定の分割条件に基づいて設定された歌唱位置を指示するための各区分について、任意の歌唱位置の前後における歌唱済区分又は未歌唱区分のいずれか一方を、前記２つの立体ソース画像を用いて立体歌詞画像として表示する、
ことを特徴とする歌詞文字の立体表示機能を有するカラオケシステム。
【請求項２】
前記表示変換制御手段は、前記立体歌詞画像が表示された区分以外の区分については、前記２つの立体ソース画像のいずれか一方のみを用いて平面歌詞画像を表示する、
ことを特徴とする請求項１に記載の歌詞文字の立体表示機能を有するカラオケシステム。
【発明の詳細な説明】
【技術分野】
【０００１】
本発明は、歌詞文字を立体的に表示可能なカラオケシステムに関するものである。
【背景技術】
【０００２】
現在一般的に普及しているカラオケシステムでは、カラオケ楽曲を演奏する際に、ディスプレイの画面に、楽曲の雰囲気に合わせた背景映像を映し出すとともに、演奏の進行に同期させて歌詞文字を表示することにより、歌唱者に対して歌唱タイミングを示すようになっている。
【０００３】
例えば、歌詞文字は、これから歌唱する歌唱区分毎にブロック表示され、さらに歌唱タイミングを示すために演奏の進行に伴って色変わりするようになっている。歌唱者は、この歌詞文字の色変わりタイミングに合わせて歌唱を行うことにより、歌唱タイミングを容易に把握することができるので、カラオケシステムを用いた歌唱の楽しさを十分に味わうことができるようになっている。
【０００４】
ところで、歌詞文字を色変わりさせて歌唱タイミングを示す場合には、これから歌唱する歌詞の文字列の色と、既に歌唱した歌詞の文字列の色とが異なるため、ディスプレイの画面に表示された歌詞文字全体を見た際に、歌詞文字が見にくくなる場合があった。
【０００５】
このような不都合に対して、ディスプレイの画面に表示される歌詞文字の表示色を変更することなく、歌唱タイミングを示すことができる技術が提案されている（例えば、特許文献１参照）。特許文献１に記載されている技術は、歌詞文字列を指定する歌詞情報と、現在の歌唱位置を指定する歌唱位置情報とを含む楽曲データを記憶する記憶手段と、記憶手段に記憶された楽曲データを読み出して出力する制御手段と、制御手段によって出力された楽曲データに含まれる歌詞情報によって指定される歌詞文字列を表示するとともに、これに加えて、当該楽曲データに含まれる歌唱位置情報によって指定される位置に、現在の歌唱位置を表す歌唱位置表示体を表示する表示手段と、を備えたものである。すなわち、特許文献１に記載された技術では、演奏の進行に伴って、歌唱すべき歌詞文字の位置にアニメーションやカーソルを表示することにより、歌唱タイミングを示すようになっている。
【先行技術文献】
【特許文献】
【０００６】
【特許文献１】特開２０００−２７６１８２号公報
【発明の概要】
【発明が解決しようとする課題】
【０００７】
上述した特許文献１に記載された技術では、ディスプレイの画面に表示される歌詞文字の表示色を変更することなく、歌唱タイミングを示すことができる。しかし、歌唱タイミングを示すためにアニメーションやカーソルを表示しているため、これらの付加表示が邪魔になって、歌詞文字を正確に認識することができない場合がある。また、歌詞文字以外にアニメーションやカーソルを表示した場合には、それだけ背景映像を表示するための領域が狭くなってしまう。このため、せっかく楽曲の雰囲気に合わせた背景映像が映し出されているにも拘わらず、歌詞文字の色変わりが邪魔になってしまい、楽曲の演奏及び歌唱とともに背景映像を楽しませるという、カラオケシステムの目的を阻害することになってしまう。
【０００８】
さらに、観衆となる聴取者は、歌唱者の歌唱を聴取するだけではなく、楽曲の雰囲気に合わせた背景映像を楽しむことになる。この際、演奏の進行に同期して歌詞文字が色変わりすると、特に色変わりする歌詞文字部分に注意が向いてしまう。一方、歌唱を行わない聴取者であっても、自ら知っている楽曲が演奏される際に歌詞を口ずさみたいという欲求もあり、この場合には、歌唱者だけではなく聴取者に対しても歌唱タイミングを示す歌詞文字の表示態様の変更を認識させる必要がある。
【０００９】
本発明は上述した事情に鑑み提案されたもので、演奏の進行に伴って歌詞文字を色変わりさせることなく歌唱タイミングを示すことができるとともに、歌詞文字を正確に認識させることが可能なカラオケシステムを提供することを目的とする。
【課題を解決するための手段】
【００１０】
本発明の歌詞文字の立体表示機能を有するカラオケシステムは、上述した目的を達成するため、以下の特徴点を備えている。すなわち、本発明の歌詞文字の立体表示機能を有するカラオケシステムは、カラオケ楽曲の演奏に伴ってディスプレイに表示させる歌詞文字の複数の構成要素毎に、それぞれ明度の異なる２つの立体ソース画像を用意し、当該２つの立体ソース画像を重ね合わせて視認させることにより、ＤＦＤ（Ｄｅｐｔｈ−Ｆｕｓｅｄ  ３−Ｄ）錯視現象を用いて、歌詞文字を立体歌詞画像として表示可能としたカラオケシステムであって、歌詞描出制御手段と、表示変換制御手段と、を備えたことを特徴とするものである。
【００１１】
歌詞描出制御手段は、楽曲毎に設定された歌詞描出データから、演奏に同期した歌詞文字画像の表示タイミングデータを取得し、当該取得したデータに基づいて、ディスプレイに表示される歌詞文字画像の描出を行うための手段である。表示変換制御手段は、歌詞描出データから、演奏に同期した歌唱位置データを取得し、一の歌詞文字において、所定の分割条件に基づいて設定された歌唱位置を指示するための各区分について、任意の歌唱位置の前後における歌唱済区分又は未歌唱区分のいずれか一方を、それぞれ明度の異なる２つの立体ソース画像を用いて立体歌詞画像として表示するための手段である。
【００１２】
このような構成からなる歌詞文字の立体表示機能を有するカラオケシステムでは、歌詞描出制御手段の機能により、演奏の進行に同期して歌詞文字が表示されるとともに、歌唱タイミングを示すために歌詞文字の表示態様が変更される。この際、表示変換制御手段の機能により、所定の分割条件に基づいて設定された歌唱位置を指示するための各区分が、平面画像から立体画像となるように変換制御され、又は立体画像から平面画像となるように変換制御される。
【００１３】
また、本発明の歌詞文字の立体表示機能を有するカラオケシステムは、上述した構成に加えて、表示変換制御手段の機能として、立体歌詞画像が表示された区分以外の区分については、それぞれ明度の異なる２つの立体ソース画像のいずれか一方のみを用いて平面歌詞画像を表示するように構成することが可能である。
【００１４】
このような構成からなるカラオケシステムでは、立体歌詞画像を表示する場合には、それぞれ明度の異なる２つの立体ソース画像を用い、平面歌詞画像を表示する場合には、当該２つの立体ソース画像のいずれか一方のみを用いる。
【発明の効果】
【００１５】
本発明のカラオケシステムによれば、演奏の進行に従ってディスプレイの画面に表示される歌詞文字について、色変わりさせることなく、しかもカーソルやアンダーライン等の煩わしい表示を行うことなく、その歌唱タイミングを表示することができる。したがって、歌唱者に対しては、色変わりによらない画像変換により歌唱タイミングを認識させることができる一方、その他の利用者（聴取者）は、歌詞文字の色変わり表示やカーソル、アンダーライン等に煩わされることなく、楽曲の演奏及び歌唱とともに背景映像を楽しむことが可能となる。さらに、歌唱者だけではなく聴取者に対しても歌唱タイミングを示す歌詞文字の表示態様の変更を認識させることができるので、歌唱者とともに歌詞を口ずさみたいという聴取者の欲求を満足させることができる。
【００１６】
また、ＣＧを用いて３Ｄアニメーションにより擬似的な立体歌詞文字を表示することにより、本願発明と近似した効果が期待できるものの、現在では１０万曲を超える楽曲を扱うカラオケシステムでは、映像作成技術者が、楽曲毎にそれぞれ個別に３Ｄアニメーションを作成しなければならず、莫大なコストや手間がかかり、現実的ではない。一方、本願発明では、楽曲毎の歌詞描出データに付帯しているフォントデータやその明度データを用いて立体歌詞文字を自動生成することができるため、予め楽曲毎にそれぞれ個別に立体歌詞文字を用意する必要がなく、コスト及び手間を大幅に削減することができる。
【００１７】
また、立体歌詞画像を表示する場合には、２つの立体ソース画像を用い、平面歌詞画像を表示する場合には、２つの立体ソース画像のいずれか一方のみを用いる構成では、歌詞画像を表示するためのソース画像作成の手間やコストを削減することができる。
【図面の簡単な説明】
【００１８】
【図１】本発明の実施形態に係るカラオケシステムの概略構成を示すブロック図。
【図２】歌詞文字の表示態様変更の様子を示す説明図。
【図３】第１の実施形態に係る歌詞文字の表示手順を示すフローチャート。
【図４】第２の実施形態に係る歌詞文字の表示手順を示すフローチャート。
【図５】ＤＦＤ錯視現象による立体画像の表示原理を示す説明図。
【図６】歌詞文字の構成要素を用いた立体化原理を示す説明図。
【発明を実施するための形態】
【００１９】
＜基本構成＞
以下、図面を参照して、本発明の歌詞文字の立体表示機能を有するカラオケシステム（以下、カラオケシステムという）の実施形態について説明する。図１は本発明の実施形態に係るカラオケシステムの概略構成を示すブロック図である。
【００２０】
本発明の実施形態に係るカラオケシステム１０は、図１に示すように、カラオケ本体２１、カラオケリモコン装置２２、マイクロホン２３、スピーカ２４、ミキシングアンプ２５、ディスプレイ装置２６を備えている。
【００２１】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００２２】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケシステム１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２３】
＜カラオケ本体＞
カラオケ本体２１は、中央制御手段３１、ＲＯＭ３２、ＲＡＭ３３、ＨＤＤ３４、送受信手段３５、予約管理手段３６、音楽再生制御手段３７、映像再生制御手段３８を備えており、映像再生制御手段３８は、歌詞描出制御手段３８ａ及び表示変換制御手段３８ｂを含んでいる。
【００２４】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたアプリケーションプログラムに従って動作することにより、制御機能を発揮することができるようになっている。
【００２５】
＜ＲＯＭ／ＲＡＭ＞
ＲＯＭ３２は、カラオケ本体２１を構成する各機器を制御するためのアプリケーションプログラムデータや数値データを記憶するための機器で、例えば半導体メモリ等で構成される。また、ＲＡＭ３３は、アプリケーションプログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａが記憶されるようになっている。
【００２６】
＜ＨＤＤ＞
ＨＤＤ３４は、大容量記憶装置として機能するもので、楽曲データベース３４ａ及び映像データベース３４ｂが格納されている。なお、ＨＤＤ３４に替えて、あるいはＨＤＤ３４とともに、データを書き替え可能なＤＶＤ等の大容量記憶装置を用いてもよい。
【００２７】
楽曲データベース３４ａは、演奏データ（ＭＩＤＩ（登録商標）データ）及び歌詞描出データが同期されて構成される楽曲データについて、楽曲ＩＤと対応付けてそれぞれ格納したデータベースである。演奏データは各楽曲の演奏データをデジタル化したものであり、歌詞描出データは演奏に同期した歌詞文字の表示タイミングデータ及び歌唱位置データを含んでいる。本実施形態では、歌詞描出制御手段３８ａにより、楽曲毎に設定された歌詞描出データから、歌詞文字の表示タイミングデータが取得される。また、表示変換制御手段３８ｂにより、楽曲毎に設定された歌詞描出データから、歌詞文字の歌唱位置データが取得される。映像データベース３４ｂは、演奏されるカラオケ楽曲に対応した背景映像を、当該カラオケ楽曲の楽曲ＩＤに対応させた映像ファイルとして所定数格納したデータベースである。
【００２８】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００２９】
＜予約管理手段＞
予約管理手段３６は、利用者により楽曲検索手段２２ａの機能を用いて選曲され、送受信手段３５を介して受信した楽曲ＩＤを、選曲順に演奏予約待ち行列３３ａとしてＲＡＭ３３に格納し、管理するためのプログラムからなる。
【００３０】
＜音楽再生制御手段＞
音楽再生制御手段３７は、楽曲ＩＤに基づいて楽曲データベース３４ａから抽出された演奏データをデジタル再生するとともにアナログ変換してミキシングアンプ２５に出力するための電子回路である。ミキシングアンプ２５は、マイクロホン２３から入力された歌唱者の歌唱音声信号と、音楽再生制御手段３７から送出される演奏音声信号とをミキシングするとともに、アンプ機能により増幅してスピーカ２４より出力させるための装置である。
【００３１】
＜映像再生制御手段＞
映像再生制御手段３８は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させてディスプレイ装置２６に出力するための電子回路である。また、映像再生制御手段３８は、歌詞描出制御手段３８ａ及び表示変換制御手段３８ｂの機能を含んでいる。
【００３２】
＜歌詞描出制御手段＞
歌詞描出制御手段３８ａは、楽曲毎に設定された歌詞描出データから、演奏に同期した歌詞文字画像の表示タイミングデータを取得し、当該取得したデータに基づいて、ディスプレイに表示される歌詞文字画像の描出を行うためのプログラムからなる。歌詞描出制御手段３８ａでは、カラオケ楽曲の演奏進行に従って歌詞文字の表示制御を行うが、この際、歌詞文字は、表示変換制御手段３８ｂの機能により、平面画像から立体画像となるように変換制御され、又は立体画像から平面画像となるように変換表示される。
【００３３】
＜表示変換制御手段＞
表示変換制御手段３８ｂは、歌詞描出データから、演奏に同期した歌唱位置データを取得し、一の歌詞文字において、所定の分割条件に基づいて設定された歌唱位置を指示するための各区分について、任意の歌唱位置の前後における歌唱済区分又は未歌唱区分のいずれか一方を、それぞれ明度の異なる２つの立体ソース画像を用いて立体歌詞画像として表示するためのプログラムからなる。
【００３４】
本実施形態では、ＤＦＤ錯視現象を用いた立体画像表示方式を用いて、歌詞文字が立体表示されるが、この際、表示変換手段では、ＤＦＤ錯視現象を用いた立体画像表示方式に合致する表示変換制御用データに基づいて、平面画像と立体画像との変換制御が行われる。立体画像の表示方式については、後に詳述する。
【００３５】
＜ディスプレイ装置＞
ディスプレイ装置２６は、カラオケ演奏時の映像、歌詞テロップ等を表示するための装置で、例えば、液晶ディスプレイ等により構成される。
【００３６】
＜歌詞文字の表示態様変更＞
図２に歌詞文字の表示態様変更の様子を示す。上述したように、歌詞文字は演奏の進行に同期して表示されるとともに、歌唱タイミングを示すため、複数部分に区分された歌詞文字の各区分について、平面画像から立体画像となるように変換され、又は立体画像から平面画像となるように変換される。
【００３７】
すなわち、図２に示すように、歌詞文字は予め設定された分割条件に基づいて複数ブロックに区分されている。図２に示す例では、歌詞文字は、その表示態様の変更方向である左右方向に５分割されている。そして、立体画像として表示されている歌詞文字が、歌唱タイミングに合わせて、左側のブロックから順に平面画像へと変換される。
【００３８】
すなわち、ｔ1の演奏区分では、最も左側のブロック１が平面画像として表示され、ブロック２からブロック５が立体画像として表示される。同様にして、ｔ2の演奏区分に移行すると、ブロック１からブロック２が平面画像として表示され、ブロック３からブロック５が立体画像として表示される。さらに、ｔ3の演奏区分では、ブロック１からブロック３が平面画像として表示され、ブロック４からブロック５が立体画像として表示される。このようにして、演奏の進行に伴って歌唱タイミングを示すために、複数ブロックに分割された歌詞文字が順次、立体画像から平面画像に変換される。なお、平面画像として表示されている歌詞文字が、歌唱タイミングに合わせて、順次、立体画像として表示されるようにしてもよい。また、歌詞文字の分割条件はどのようなものであってもよく、例えば、表示態様の変更方向に沿って２つ、３つ、４つ、５つ等の複数に分割してもよいし、１つの歌詞文字については全体として1ブロックとしてもよい。
【００３９】
図３及び図４を参照して、歌詞文字画像の表示手順について説明する。図３は第１の実施形態に係る歌詞文字の表示手順を示すフローチャート、図４は第２の実施形態に係る歌詞文字の表示手順を示すフローチャートである。
【００４０】
第１の実施形態に係る歌詞文字の表示手順では、立体歌詞画像を表示する場合には、それぞれ明度が異なる前側の液晶表示画用の立体ソース画像と、後側の液晶表示面用の立体ソース画像を用い、平面歌詞画像を表示する場合には、当該２つの立体ソース画像のいずれか一方のみを用いるようにしたものである。すなわち、図３に示すように、未歌唱区分については、それぞれ明度が異なる２つの立体ソース画像を用いて歌詞文字を表示する（Ｓ１）。これにより、歌唱者及び聴取者は、歌詞文字の未歌唱区分を立体画像として認識することができる。
【００４１】
そして、歌唱位置に到達すると（Ｓ２）、２つの立体ソース画像のうちのいずれか一方を消去して歌詞文字を表示する（Ｓ３）。これにより、歌唱者及び聴取者は、歌詞文字の歌唱済区分を平面画像として認識することになる。
【００４２】
第２の実施形態に係る歌詞文字の表示手順では、立体歌詞画像を表示する場合には、それぞれ明度が異なる前側の液晶表示画用の立体ソース画像と、後側の液晶表示面用の立体ソース画像を用い、平面歌詞画像を表示する場合には、別途用意した平面画像を用いるようにしたものである。すなわち、図４に示すように、未歌唱区分については、それぞれ明度が異なる２つの立体ソース画像を用いて歌詞文字を表示する（Ｓ１１）。これにより、歌唱者及び聴取者は、歌詞文字の未歌唱区分を立体画像として認識することができる。
【００４３】
そして、歌唱位置に到達すると（Ｓ１２）、２つの立体画像を消去して、平面画像からなる歌詞文字を表示する（Ｓ１３）。これにより、歌唱者及び聴取者は、歌詞文字の歌唱済区分を平面画像として認識することになる。
【００４４】
＜立体画像の表示方式＞
立体画像の表示方式には種々の方式があるが、本実施形態では、ＤＦＤ（Ｄｅｐｔｈ−Ｆｕｓｅｄ  ３−Ｄ）錯視現象を利用した立体画像の表示方式を採用している。図５は、ＤＦＤ錯視現象による立体画像の表示方法の説明図である。
【００４５】
ＤＦＤ錯視現象とは、図５に示すように、ディスプレイを視認する利用者から見て奥行きが重なるようにして、２枚の液晶表示面を設置し、表示したい立体画像を、前後それぞれの液晶表示面に視認者の位置から見て重なり合うような投影像として表示する。そして、視認させたい立体画像の奥行き位置に対応させて、２枚の液晶表示面にそれぞれ表示される画像の輝度比を変化させる。例えば、前側の液晶表示面に表示させる画像の輝度割合を高く設定し、後側の液晶表示面に表示させる画像の輝度割合を低く設定すると、利用者は立体画像が前面に近くなるような錯視を起こす。反対に、前側の液晶表示面に表示させる画像の輝度割合を低く設定し、後側の液晶表示面に表示させる画像の輝度割合を高く設定すると、利用者は立体画像が後面に近くなるような錯視を起こす。
【００４６】
また、２枚の液晶表示面を前後に並べて設置するのではなく、２枚の液晶表示面を所定の角度で設置するとともに、両者の間にハーフミラーを設置して、各液晶表示面に表示される画像を、利用者から見て光学的に重なり合うようにしてもよい。
【００４７】
なお、本実施形態では、２枚の液晶表示面を用いて歌詞文字を立体画像として表示している。この場合、これらの２枚の液晶表示面を用いて背景映像を表示してもよいが、さらに他の液晶表示面を用意して、この液晶表示面に背景映像を表示することにより、３つのレイヤーを重ね合わせて、背景映像と立体歌詞画像とを表示してもよい。
【００４８】
図６を参照して、歌詞文字の構成要素を用いた立体化原理を説明する。図６は、歌詞文字の構成要素を用いた立体化原理を示す説明図である。ＤＦＤ錯視現象を用いて歌詞文字を立体的に表示するには、図６に示すように、歌詞文字を複数のエッジを有する立体ソース画像として構成し、エッジ毎に明度のグラデーションを持たせる。そして、明度のグラデーションがそれぞれ異なる２つの立体ソース画像を、前後それぞれの液晶表示面に視認者の位置から見て重なり合うような投影像として表示することにより、歌詞文字を立体歌詞画像として表示することができる。
【００４９】
＜他の実施形態＞
本発明のカラオケシステム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００５０】
１０  カラオケシステム
２１  カラオケ本体
２２  カラオケリモコン装置
２２ａ  楽曲検索手段
２２ｂ  楽曲索引データベース
２３  マイクロホン
２４  スピーカ
２５  ミキシングアンプ
２６  ディスプレイ装置
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  音楽再生制御手段
３８  映像再生制御手段
３８ａ  歌詞描出制御手段
３８ｂ  表示変換制御手段
【図１】
2011053345.tif 000003
【図２】
2011053345.tif 000004
【図３】
2011053345.tif 000005
【図４】
2011053345.tif 000006
【図５】
2011053345.tif 000007
【図６】
2011053345.tif 000008